(57)【要約】      （修正有）【課題】雨が降ってきた場合に素早く一気に拡がり、容易に着用でき、かつ折りたたみ作業も容易にできるポンチョタイプの雨合羽を提供する。【解決手段】頭部６から腰部近くまでを覆う広さのシート状部材２と、シート状部材の頭部となる位置から背中部となる位置までを含み、首部７に相当する位置で絞った繭形状からなる板バネ１と、シート状部材の首部となる位置に巻き回して取り付けた紐部３と、これらを収納する収納袋とを含んだ構造からなる。使用前は板バネの上下両端にねじりを加えて板バネを複数巻きの円盤形状に折りたたんでおき、使用するときには収納袋から取り出すと板バネの復元力により広がる。【選択図】図１
0003204916.tif 000002
【実用新案登録請求の範囲】
【請求項１】
頭部から腰部近くまでを覆う広さのシート状部材と、前記シート状部材の頭部となる位置から背中部となる位置までを含み、首部に相当する位置で絞った繭形状からなる板バネと、前記シート状部材の首部となる位置に巻き回して取り付けた紐部と、これらを収納する収納袋とを含んでなり、
使用前においては前記板バネの上下両端にねじりを加えることにより前記板バネを複数巻きの円盤形状に折りたたんでおき、使用するときには前記収納袋から取り出すと前記板バネの復元力により広がることができることを特徴とする広がるポンチョ。
【請求項２】
前記板バネを折り畳んだときに、折り畳んだ状態を保持するための固定冶具をさらに設けたことを特徴とする請求項１の広がるポンチョ。
【考案の詳細な説明】
【技術分野】
【０００１】
本考案は雨天時に利用する雨具に関する。
【背景技術】
【０００２】
雨天時、一般的には傘をさし雨を避けるが、傘を持つことにより少なくとも片手がふさがるため、杖等や鞄などの荷物をもっている場合には両手が塞がり、危険なばかりか非常に不便である。また、雨の日に自転車に乗る場合、傘をさして運転することは法的に禁止されているため、雨合羽等の着用が必要である。しかし、通常の雨合羽は着脱に手間がかかる上、使用後の折りたたみ等が不便で手間がかかるといった課題を有する。このようなことから、身体に傘を固定出来る器具が開示されている。しかしこれら器具は、傘を固定する装置が大きく、常に携帯するに不便なこと、進行方向が変化した場合に雨の降る方向に対しては即座に対応できないという課題を有する（特開２００４−１６７９４号公報、特開２０１４−９１０２３号公報参照）。
【先行技術文献】
【特許文献】
【０００３】
【特許文献１】特開２００４−１６７９４号公報
【特許文献２】特開２０１４−９１０２３号公報
【考案の概要】
【考案が解決しようとする課題】
【０００４】
鞄などを持っている場合に、雨が降り出して傘をさすと両手がふさがるために屋外での行動に制約を受ける。また、特に雨天時に自転車に乗る場合には、雨合羽等の着用をしなければならないが、従来の雨合羽は着用するための時間がかかることや折りたたむ作業が面倒であることなどから雨合羽の着用は敬遠されているのが実体である。また、携帯用傘立てスタンド器具やリュック傘器具も開示されているが、傘を固定する装置が大きいために常に携帯するには不便である。
本考案は、このような課題に鑑み、雨が降ってきた場合に素早く一気に拡がり、容易に着用でき、かつ折りたたみ作業も容易にできるポンチョタイプの雨合羽を提供することを目的としている。
【課題を解決するための手段】
【０００５】
上記課題を解決するために、本考案の広がるポンチョは、頭部から腰部近くまでを覆う広さのシート状部材と、このシート状部材の頭部となる位置から背中部となる位置までを含み、首部に相当する位置で絞った繭形状からなる板バネと、シート状部材の首部となる位置に巻き回して取り付けた紐部と、これらを収納する収納袋とを含んだ構造からなる。そして、使用前においては板バネの上下両端にねじりを加えることにより板バネを複数巻きの円盤形状に折りたたんでおき、使用するときには収納袋から取り出すと板バネの復元力により広がることを特徴とするものである。また、紐部を結ぶことによりシート状部材の首部を狭めることにより、シート状部材の頭部が着用するヒトの頭部を覆うようにすることができる。
【考案の効果】
【０００６】
本考案の広がるポンチョは、携帯時には収納ファイル又は収納袋の中で、円弧を重ねた形状の円盤状になっているが、収納ファイル又は収納袋から取り出すことによりシート状部材の頭部から背中部に配置した楕円状に閉じた細い板バネの反発力でシート状部材が広がり、かつシート状部材の頭部は帽子形状に広がる。そして、紐部を結ぶことにより楕円状に閉じた板バネの短軸方向を狭め、長軸方向を伸ばしてヒトの頭部にフィットする帽子状とすることができ、顔面に雨が直接当たるのを防ぐことができる。また、左右の胸部分にボタン等を配置しておき、ボタンを留めれば自転車に乗っている場合でも前方からの雨を避けることができる。
【図面の簡単な説明】
【０００７】
【図１】本考案の実施例１に基づく広がるポンチョを広げた状態の正面図である。
【図２】本考案の実施例１に基づく広がるポンチョを広げた状態の側面図である。
【図３】本考案の実施例１に基づく広がるポンチョを折り畳む過程を説明するための図で（ａ）は折り畳んだ状態の広がるポンチョの斜視図、（ｂ）は繭形状の板バネの折り畳む過程を説明する図で、（１）広がった状態、（２）は折り畳み途中の状態、（３）は折り畳んだ状態を示す図である。
【図４】本考案の実施例１に基づく広がるポンチョを装着した状態の頭部斜視図である。
【図５】本考案の実施例２に基づく小さく広がるポンチョを広げた状態の正面図である。
【図６】本考案の実施例２に基づく小さく広がるポンチョを折り畳む過程を説明するための図で、（ａ）は折り畳んだ状態の小さく広がるポンチョの斜視図、（ｂ）は楕円状の板バネの折り畳む過程を説明する図で、（１）は広がった状態、（２）は折り畳み途中の状態、（３）は折り畳んだ状態を示す図である。
【図７】本考案の実施例３に基づく広がるポンチョを折り畳んだ時の状態保持を説明するための図で、（ａ）はコの字状の固定具を利用し、折り畳んだ状態を保持する一例（ｂ）は帯紐等で折り畳んだ状態を保持する一例を示した図である。
【考案を実施するための形態】
【０００８】
以下、本考案の実施の形態を実施例に基づき説明する。
【実施例１】
【０００９】
以下、本考案の実施例１の広がるポンチョについて図面を参照しながら詳細に説明する。図１は、本考案の実施例１に基づく広がるポンチョを広げた状態の正面図である。図２は本考案の実施例１に基づく広がるポンチョの側面図である。図１から示されるように、本考案の広がるポンチョはシート状部材２の頭部から背中部にかけて、繭形状からなる板バネ１をシート状部材１に取り付け固定している。板バネ２は、例えば細い板状の鋼線を用いることができるが、樹脂製品でもよい。シート状部材１は、薄くて丈夫なポリエチレンシートなどの樹脂シートを用いてもよいし、水を弾く加工が施されていれば布でもよい。  
図１に示すように、広がるポンチョを広げた状態では、板バネ１は首部が少し狭まった形状で、全体として繭形状からなる。このように広がった状態で、広がるポンチョを頭に被り、首部７に配置した紐部３を両側から結んで少し締めると、板バネ１の首部７付近の間隔が狭まるため、板バネ１の長軸方向が伸びる。その結果、つば部５がせり出し、装着時に雨が顔面に当たるのを防ぐことが出来る。また、胸部の左右のボタン４を閉じることにより、風の強いときや自転車乗車時にも正面からの雨を防ぐことが出来る。
なお、紐部３は結ぶのではなく、面状ファースナ−でとめる構造としてもよい。同様に、ボタン４でとめる構造ではなく、この部分についても面状ファースナ−を用いてもよい。
図３は本考案の実施例１に基づく広がるポンチョを折り畳む過程を説明するための図で、（ａ）は折り畳んだ状態の広がるポンチョの斜視図、（ｂ）は楕円状に閉じた板バネ１の折り畳む過程を示すもので、（１）に示す広がった状態の楕円状に閉じた板バネ１の長軸つば先部分Ａと長軸背中部分Ｂを軸方向に逆にねじることにより、板バネ１は円弧状に丸まり、（２）に示す折り畳み途中の状態を経て、（３）に示すように板バネ１は３重の小円状に畳んだ状態へと変化する。このようにして折り畳んだ状態の広がるポンチョを収納袋に収納しておけば、取り出すと自然に広がるのですぐに使えるという効果が得られる。
【実施例２】
【００１０】
本考案の実施例２の広がるポンチョについて、図５及び図６を基に説明する。本実施例２の広がるポンチョは、本考案の実施例１に基づく広がるポンチョの繭形状の板バネ１を少し小さくしたことが特徴である。図６に示すように折りたたみ時に長軸つば先部分Ｃと長軸背中部分Ｄを軸方向に逆にねじることにより、繭形状の板バネ１は円弧状に丸まり、（２）に示す折り畳み途中の状態を経て、（３）に示すように２重の小円状に折り畳んだ状態へと変化する。折り畳んだ状態の小さく広がるポンチョを収納袋に収納しておけば、取り出すと自然に広がるのですぐに使えるという効果を有する。
【実施例３】
【００１１】
本考案の実施例３の広がるポンチョについて、図７を基に説明する。本実施例における広がるポンチョは、折り畳んだ状態を保持するために固定治具を用いたことが特徴である。その他の形状は実施例１と同様であるので説明を省略する。
図７は、広がるポンチョを折り畳んだ状態を保持するために板バネ１を束ねて固定しておくための固定冶具を用いた構造を示す斜視図である。図７（ａ）は、コの字状固定具９等で隣接する板バネを束ね固定した構造を示しており、（ｂ）は帯紐１０等で束ねて面状ファースナ１１等で固定してした構造を示している。なお、折り畳んだ状態を保持する構造としては、図７に限定されるものではなく、クリップを用いてもよいし、板バネにボタンを設けておき上下の板バネが接触したときにボタンを嵌めわせて固定するなど、種々の方法を用いることができる。
【産業上の利用可能性】
【００１２】
本考案は、雨天時の携帯用雨具として、また、雨天時に自転車等に乗る場合の装着用雨具としても有用である。
【符号の説明】
【００１３】
１  板バネ
２  シート状部材
３  紐部
４  ボタン
５  つば部
６  頭部
７  首部
８  袖部
Ａ、Ｃ  板バネ長軸つば先部分
Ｂ、Ｄ  板バネ長軸背中部分
９  コの字状固定具
１０  帯紐
１１  面状ファースナ
【図１】
0003204916.tif 000003
【図２】
0003204916.tif 000004
【図３】
0003204916.tif 000005
【図４】
0003204916.tif 000006
【図５】
0003204916.tif 000007
【図６】
0003204916.tif 000008
【図７】
0003204916.tif 000009